【手続補正書】
【提出日】平成17年8月25日(2005.8.25)
【手続補正１】
【補正対象書類名】明細書
【補正対象項目名】特許請求の範囲
【補正方法】変更
【補正の内容】
【特許請求の範囲】
【請求項１】  ディジタル放送の番組デ−タを受信する番組デ−タ受信手段
と、
該番組デ−タ受信手段で受信した番組デ−タから番組の詳細情報を抽出して番
組詳細情報を作成する番組詳細情報作成手段とを備えた番組情報表示装置におい
て、                                                                    
番組詳細情報の表示中に他の番組の詳細情報を選択・表示させるための番組選
択入力手段と、
該番組選択入力手段を介して番組が選択された場合、選択された番組の番組詳
細情報を表示する番組詳細情報表示変更手段とを備えていることを特徴とする番
組情報表示装置。
【請求項２】  １チャンネルが複数のサ−ビスの番組を含んで構成されてい
る場合に、前記番組選択入力手段が、現在番組詳細情報が表示されている番組の
サ−ビスに隣接するサ−ビスの番組を選択させるためのサ−ビス選択入力手段を
備えていることを特徴とする請求項１記載の番組情報表示装置。
【請求項３】  前記番組選択入力手段が、現在番組詳細情報が表示されてい
る番組のチャンネルに隣接するチャンネルの番組を選択させるためのチャンネル
選択入力手段を備えていることを特徴とする請求項１又は請求項２記載の番組情
報表示装置。
【請求項４】  前記番組選択入力手段が、現在番組詳細情報が表示されてい
る番組の前後の時間にある番組を選択させるための時間選択入力手段を備えてい
ることを特徴とする請求項１〜３のいずれかの項に記載の番組情報表示装置。
【請求項５】  前記番組選択入力手段が、現在番組詳細情報が表示されてい
る番組の前日又は翌日の同一時間帯にある番組を選択させるための前日・翌日番
組選択入力手段を備えていることを特徴とする請求項１〜４のいずれかの項に記
載の番組情報表示装置。
【請求項６】  前記番組選択入力手段が、現在番組詳細情報が表示されてい
る番組の１週間前又は１週間先の同一時間帯にある番組を選択させるための週間
番組選択入力手段を備えていることを特徴とする請求項１〜５のいずれかの項に
記載の番組情報表示装置。
【請求項７】  前記番組選択入力手段が、現在受信中の番組を選択させるた
めの受信番組選択入力手段を備えていることを特徴とする請求項１〜６のいずれ
かの項に記載の番組情報表示装置。
【請求項８】  前記番組選択入力手段が、現在受信中の番組の次の番組を選
択させるための次番組選択入力手段を備えていることを特徴とする請求項１〜７
のいずれかの項に記載の番組情報表示装置。
【請求項９】  前記番組選択入力手段が、録画予約されている番組を選択さ
せるための録画予約番組選択入力手段を備えていることを特徴とする請求項１〜
８のいずれかの項に記載の番組情報表示装置。
【請求項１０】  前記番組選択入力手段が、視聴予約されている番組を選択
させるための視聴予約番組選択入力手段を備えていることを特徴とする請求項１
〜９のいずれかの項に記載の番組情報表示装置。
【請求項１１】  前記録画予約番組選択入力手段が、録画予約されている複
数の番組を予約日時の順に切り替えることができるものであることを特徴とする
請求項９記載の番組情報表示装置。
【請求項１２】  前記視聴予約番組選択入力手段が、視聴予約されている複
数の番組を予約日時の順に切り替えることができるものであることを特徴とする
請求項１０記載の番組情報表示装置。
【請求項１３】  前記番組選択入力手段が、使用者に番組特定情報を入力さ
せる画面に切り替えるための番組特定情報入力画面切替手段を備えていることを
特徴とする請求項１〜１２のいずれかの項に記載の番組情報表示装置。
【請求項１４】  前記番組特定情報入力画面切替手段が、入力可能な前記番
組特定情報を順に切り替えることができるものであることを特徴とする請求項１
３記載の番組情報表示装置。
【請求項１５】  前記番組特定情報入力画面切替手段が、入力可能な前記番
組特定情報の一覧を表示させることができるものであることを特徴とする請求項
１３記載の番組情報表示装置。
【請求項１６】  前記番組特定情報が、現在番組詳細情報が表示されている
番組の放送開始時刻からのオフセット時間又はオフセット日数を含んでいること
を特徴とする請求項１３〜１５のいずれかの項に記載の番組情報表示装置。    
【請求項１７】  前記番組特定情報が、現在時刻からのオフセット時間又は
オフセット日数を含んでいることを特徴とする請求項１３〜１５のいずれかの項
に記載の番組情報表示装置。
【請求項１８】  前記番組選択入力手段が、音声認識手段を備え、
該音声認識手段により認識された番組特定情報に対応する番組を前記番組詳細
情報を表示させる番組として選択させるものであることを特徴とする請求項１〜
１０のいずれかの項に記載の番組情報表示装置。
【請求項１９】  前記番組特定情報が、キ−ワ−ドを含んでいることを特徴
とする請求項１８記載の番組情報表示装置。
【請求項２０】  前記番組特定情報が、サ−ビス番号を含んでいることを特
徴とする請求項１８記載の番組情報表示装置。
【請求項２１】  前記番組特定情報が、チャンネル番号を含んでいることを
特徴とする請求項１８記載の番組情報表示装置。
【請求項２２】  前記番組特定情報が、放送日時情報を含んでいることを特
徴とする請求項１８記載の番組情報表示装置。
【請求項２３】  前記番組特定情報が、現在番組詳細情報が表示されている
番組の放送開始時刻からのオフセット時間又はオフセット日数を含んでいること
を特徴とする請求項１８記載の番組情報表示装置。                          
【請求項２４】  前記番組特定情報が、現在時刻からのオフセット時間又は
オフセット日数を含んでいることを特徴とする請求項１８記載の番組情報表示装
置。
【請求項２５】 ディジタル放送の番組データに基づく番組詳細情報を表示
する番組情報表示方法であって、
番組詳細情報の表示中に、他の番組の詳細情報を選択・表示させるための番組
選択入力手段を介して番組が選択された場合、選択された番組の番組詳細情報を
表示することを特徴とする番組情報表示方法。 
【請求項２６】 前記番組選択入力手段が、番組詳細情報の表示中に表示さ
れる選択ボタンを備え、該選択ボタンを介して選択された番組の番組詳細情報を
表示することを特徴とする請求項２５記載の番組情報表示方法。
【請求項２７】 ディジタル放送の番組デ−タを受信する番組デ−タ受信手
段と、
該番組デ−タ受信手段で受信した番組デ−タから番組の詳細情報を抽出して番
組詳細情報を作成する番組詳細情報作成手段と、
ディジタル放送の番組及び番組の詳細情報を表示する表示手段とを備えたディ
ジタル放送受信装置において、
番組詳細情報の表示中に他の番組の詳細情報を選択・表示させるための番組選
択入力手段と、
該番組選択入力手段を介して番組が選択された場合、選択された番組の番組詳
細情報を表示する番組詳細情報表示変更手段とを備えていることを特徴とするデ
ィジタル放送受信装置。
【請求項２８】 前記番組選択入力手段が、番組詳細情報の表示中に表示さ
れる選択ボタンを備えていることを特徴とする請求項２７記載のディジタル放送
受信装置。
【手続補正２】
【補正対象書類名】明細書
【補正対象項目名】００１１
【補正方法】変更
【補正の内容】
【００１１】
【課題を解決するための手段及びその効果】
上記目的を達成するために本発明に係る番組情報表示装置（１）は、ディジタ
ル放送の番組デ−タを受信する番組デ−タ受信手段と、該番組デ−タ受信手段で
受信した番組デ−タから番組の詳細情報を抽出して番組詳細情報を作成する番組
詳細情報作成手段とを備えた番組情報表示装置において、番組詳細情報の表示中
に他の番組の詳細情報を選択・表示させるための番組選択入力手段と、該番組選
択入力手段を介して番組が選択された場合、選択された番組の番組詳細情報を表
示する番組詳細情報表示変更手段とを備えていることを特徴としている。
【手続補正３】
【補正対象書類名】明細書
【補正対象項目名】００６３
【補正方法】変更
【補正の内容】
【００６３】
上記番組情報表示装置（２４）によれば、現在時刻からのオフセット時間又は
オフセット日数を音声入力することにより、前記オフセット時間後又はオフセッ
ト日数後の番組の番組詳細情報を釦操作等を行うことなく直接表示させることが
でき、使用者の使い勝手をさらに向上させることができる。                  
また本発明に係る番組情報表示方法（１）は、ディジタル放送の番組データに
基づく番組詳細情報を表示する番組情報表示方法であって、番組詳細情報の表示
中に、他の番組の詳細情報を選択・表示させるための番組選択入力手段を介して
番組が選択された場合、選択された番組の番組詳細情報を表示することを特徴と
している。
上記番組情報表示方法（１）によれば、ある番組の番組詳細情報の表示中に、
他の番組の番組詳細情報を少ない操作で簡単に表示させることができる。
また本発明に係る番組情報表示方法（２）は、上記番組情報表示方法（１）に
おいて、前記番組選択入力手段が、番組詳細情報の表示中に表示される選択ボタ
ンを備え、該選択ボタンを介して選択された番組の番組詳細情報を表示すること
を特徴としている。
上記番組情報表示方法（２）によれば、ある番組の番組詳細情報の表示中に、
前記選択ボタンを介して、簡単に他の番組の番組詳細情報を表示させることがで
き、操作性をさらに向上させることができる。
また本発明に係るディジタル放送受信装置（１）は、ディジタル放送の番組デ
−タを受信する番組デ−タ受信手段と、該番組デ−タ受信手段で受信した番組デ
−タから番組の詳細情報を抽出して番組詳細情報を作成する番組詳細情報作成手
段と、ディジタル放送の番組及び番組の詳細情報を表示する表示手段とを備えた
ディジタル放送受信装置において、番組詳細情報の表示中に他の番組の詳細情報
を選択・表示させるための番組選択入力手段と、該番組選択入力手段を介して番
組が選択された場合、選択された番組の番組詳細情報を表示する番組詳細情報表
示変更手段とを備えていることを特徴としている。
上記ディジタル放送受信装置（１）によれば、前記番組選択入力手段を使用す
ることにより、ある番組の番組詳細情報の表示中に、前記番組詳細情報を表示さ
せる他の番組を少ない操作で選択することができ、他の番組の番組詳細情報を簡
単に表示させることができる。
また本発明に係るディジタル放送受信装置（２）は、上記ディジタル放送受信
装置（１）において、前記番組選択入力手段が、番組詳細情報の表示中に表示さ
れる選択ボタンを備えていることを特徴としている。
上記ディジタル放送受信装置（２）によれば、ある番組の番組詳細情報の表示
中に、前記選択ボタンを介して、簡単に他の番組の番組詳細情報を表示させるこ
とができ、操作性をさらに向上させることができる。